(57)【特許請求の範囲】
【請求項１】
第１の基板と前記第１の基板と間隙を有して対向する第２の基板と、前記第１の基板と第２の基板との間に封入する第１の液晶層により第１の液晶表示パネルを構成し、前記第１の液晶表示パネルと同様に基板の間に液晶層を有する液晶表示パネルを複数個積層し、さらに、少なくとも、観察者側である前記第１の液晶表示パネルの最上面、および液晶表示パネルと液晶表示パネルとの間、および複数の液晶表示パネルの最下面に偏光板を配置し、それらの偏光板のうち少なくとも液晶表示パネルと液晶表示パネルとの間に配置される偏光板は、一方の偏光軸は反射し、ほぼ直交する偏光軸は透過する反射型偏光板であることを特徴とする時計。
【請求項２】
前記複数の偏光板には、複数の反射型偏光板を有することを特徴とする請求項１に記載の時計。
【請求項３】
第１の基板と前記第１の基板と間隙を有して対向する第２の基板と、前記第１の基板と第２の基板との間に封入する第１の液晶層とからなる第１の液晶表示パネルと、第３の基板と前記第３の基板と間隙を有して対向する第４の基板と、前記第３の基板と第４の基板との間に封入する第２の液晶層とからなる第２の液晶表示パネルを有し、前記第１の液晶表示パネルと第２の液晶表示パネルとは、少なくとも一部が重なり合い、かつ第１の液晶表示パネルを観察者側に配置し、さらに、前記第１の基板の上面には第１の偏光板を有し、前記第２の基板と第３の基板との間には第２の偏光板を有し、第４の基板の下側には第３の偏光板を有し、前記第２および第３の偏光板の一方または双方は、一方の偏光軸は反射し、ほぼ直交する偏光軸は透過する反射型偏光板であることを特徴とする請求項１に記載の時計。
【請求項４】
第１の基板と前記第１の基板と間隙を有して対向する第２の基板と、前記第１の基板と第２の基板との間に封入する第１の液晶層とからなる第１の液晶表示パネルと、前記第３の基板と前記第３の基板と間隙を有して対向する第４の基板と、前記第３の基板と第４の基板との間に封入する第２の液晶層とからなる第２の液晶表示パネルを有し、前記第１の液晶表示パネルと第２の液晶表示パネルとは、少なくとも一部が重なり合い、かつ前記第１の液晶表示パネルを観察者側に配置し、さらに、前記第２の基板の裏面、または前記第３の基板の上面のいずれかに前記反射型偏光板を接着し、さらに、前記反射型偏光板は、対
向する基板との間に所定の間隙を有することを特徴とする請求項３に記載の時計。
【請求項５】
前記反射型偏光板と、前記反射型偏光板に対向する基板との間隙は、時計の表示の見切りに利用する印刷層を有することを特徴とする請求項４に記載の時計。
【請求項６】
前記第２および第３の偏光板は、いずれも反射型偏光板であることを特徴とする請求項４または５に記載の時計。
【請求項７】
前記第１の偏光板には、一方の偏光軸は吸収し、ほぼ直交する偏光軸は透過する吸収型偏光板を有し、前記第２の偏光板は、一方の偏光軸は反射し、ほぼ直交する偏光軸は透過する反射型偏光板を有し、前記第３の偏光板は、拡散層を伴うことを特徴とする請求項３から５のいずれかに記載の時計。
【請求項８】
前記複数の液晶表示パネルの最下面の下側には、電圧印加にて発光する光源を有することを特徴とする請求項１から７のいずれかに記載の時計。
【請求項９】
前記複数の液晶表示パネルの最下面の下側には、電圧印加にて発光する光源を有し、さらに、光源上には、光を吸収し波長の変化を行い発光を行う蛍光インキ層を有することを特徴とする請求項１から８のいずれかに記載の時計。
【請求項１０】
前記第１の液晶表示パネルと第１の偏光板と第２の偏光板の構成は、電圧を上昇することにより、高反射特性から、高透過特性となる配置とすることを特徴とする請求項１から９のいずれかに記載の時計。
【請求項１１】
前記第２の液晶表示パネルと第２の偏光板と第３の偏光板の構成は、電圧を上昇することにより、高透過特性から、低透過率特性となる配置とすることを特徴とする請求項１から１０のいずれかに記載の時計。
【請求項１２】
前記第１の液晶表示パネルと前記第１の偏光板と第２の偏光板により、前記第１の液晶表示パネルの全面が高反射特性を示す状態を有することを特徴とする請求項１から１１のいずれかに記載の時計。
【請求項１３】
前記第１の液晶表示パネルと前記第１の偏光板と第２の偏光板により高反射率特性を示す状態の時には、前記第２の液晶表示パネルには小さい電圧を印加していることを特徴とする請求項３から１２のいずれかに記載の時計。
【請求項１４】
前記第１の液晶表示パネルの表示が下層に配置する液晶表示パネルの表示を遮蔽する表示の場合には、下層の液晶表示パネルを駆動する電圧を下層の液晶表示パネルの表示を行う場合に使用する電圧より小さい電圧とすることを特徴とする請求項１から１３のいずれかに記載の時計。
【請求項１５】
前記第１の液晶表示パネルは、小さい電圧で強い反射特性を示し、大きい電圧で大きい透過特性を示すことを特徴とする請求項１から１４のいずれかに記載の時計。
【発明の詳細な説明】
【０００１】
【発明の属する技術分野】
本発明は、表示に液晶表示を利用して時・分・秒などの時刻情報や、日付け・曜日・月・年などのカレンダー情報をデジタルで表示する時計において、複数の液晶表示パネルを積層し、上層の液晶表示パネルにより、下層の液晶表示パネルの情報を遮蔽するシャッター機能、または多層の組み合わせにより複雑な表示を可能とする時計の構成に関する。
【０００２】
【従来の技術】
液晶表示を利用し、時・分・秒などの時刻情報や、日付け・曜日・月・年などのカレンダー情報をデジタル表示する時計の従来技術としては、たとえば特開昭５４−１５３０６６号公報に記載のものがある。
【０００３】
時刻情報やカレンダー情報を、液晶を使用してデジタル表示するときは、さきに記載した公報に記載してあるように、液晶セルの上下にそれぞれ上偏光板と下偏光板を配置し、電界を印加すると光学特性が変化する液晶のもつ性質を利用して、所定の表示を行なっている。
【０００４】
【発明が解決しようとする課題】
この従来技術における液晶表示を利用して時計では、一般的なノーマリーホワイト・モードでは、白地に黒表示で時刻情報やカレンダー情報をデジタル表示する。
【０００５】
以下に従来技術におけるデジタル表示を行う時計を図面を用いて説明する。図１７は、従来技術におけるデジタル表示を行う時計の平面模式図である。図１８は、図１７に示すＡ−Ａ線における断面模式図である。以下に図１７と図１８とを用いて従来技術を説明する。
【０００６】
デジタル表示に使用する液晶表示パネルの構成は、風防ガラス１０側（観察者の視認側）より、第１の基板１１と第１の電極１４と、第１の基板１１に所定の間隙を設けて対向する第２の基板１３と第２の基板１３上に設ける第２の電極１２を有し、第１の電極１４と第２の電極１２との重なり合う部分が表示画素となる。一般的には、セグメント型の電極形状を利用する。
【０００７】
第１の基板１１と第２の基板１３との間には、液晶層１５を有し、液晶層１５は、シール材３３と封口材（図示せず）により封入している。また、第１の基板１１と第２の基板１３上には、液晶層１５を所定の方向に揃えるために、配向膜（図示せず）を設ける。たとえば、ツイストネマティック液晶１５の場合には、第１の基板１１側では７：３０の方向に、第２の基板１３側では４：３０の方向に液晶層１５は、配向し、ツイスト角を９０度としている。
【０００８】
第１の基板１１上には、色素を一方向に延伸する吸収型偏光板からなる第１の偏光板２１を有し、第２の基板１２上には、反射型偏光板としてスリーエム製のＤＢＥＦ（商品名）からなる第２の偏光板２２とを有する。第１の偏光板２１と第２の偏光板２２の透過軸を平行に配置し、液晶表示パネルとの組み合わせにより、液晶層１５の電圧が小さい場合に、強い反射状態を示し、大きな印加電圧の場合に、透過状態を示すことができる。
【０００９】
以上の構成を有する液晶表示パネルの下側には、エレクトロルミネッセント（ＥＬ）素子からなる光源７を有し、さらに、液晶表示パネルと光源７に所定の電圧を印加するための回路基板５を有する。
【００１０】
回路基板５と液晶表示パネルとの接続は、ゼブラゴム３２を利用する。回路基板５と光源７との接続も光源用端子３９にゼブラゴムを利用して接続する。
【００１１】
また、液晶表示パネルは、パネル押え８により保持され、回路基板５等を保持する回路押え９とにより、回路基板５等と接続される。また、回路基板５の下側には、電池６が接続している。
【００１２】
以上に示す液晶表示パネルと回路基板５等からなる時計モジュールは、時計ケース１と風防ガラス２と裏蓋３の内部に収納する。また、風防ガラス２と液晶表示パネルの間には、液晶表示パネルのシール材等の部分を遮蔽する、あるいは時計のデザインのために利用する見切り板３１を有する。
【００１３】
以上の構成を有する時計は、表示部４１を有し、表示部４１には、午前午後表示部４２、時表示部４３と分表示部４４とを有する。また、時計には、時刻合わせ等を行う調整ボタン５１を有する。
【００１４】
しかしながら、一般的な時刻情報やカレンダー情報をデジタル表示する表示手段では、デザイン的に変化がなく、さらにおもしろ味にも欠け、消費者に飽きられてしまい、デジタル表示の時計の消費は落ち込んでいる。
また、この従来技術に示すように、反射型偏光板を利用して金属調の表示を可能とする場合においても、さらに、デザイン的に変化があるデジタル表示の時計が要望されている。
【００１５】
さらに、時計の時刻表示部の一部または全面を、使用する環境または時計の内部状況に応じて遮蔽（シャッターの開閉）する方法の検討はあるが、薄型化と制御性に関して充分とはいえない状況である。
また、時計の使用者、タイマー、または通信により外部からの信号により時計の時刻表示部を遮蔽と開閉、または時刻表示部自体の一部をシャッターにし、情報の表示と非表示を行うことが要望されているが、時計のデザイン性の問題が克服できていない。
【００１６】
〔発明の目的〕
本発明の目的は、上記の課題点を解決して、デザイン的に変化があるデジタル式時計を提供することである。さらに、時計の使用する環境、使用者からの制御信号、または時計の内部状況により、時刻表示部の表示の開閉を行い、時計のデザイン性を改善すると同時に、変化に富んだ時計を提供することである。
【００１７】
【課題を解決するための手段】
上記の目的を達成するため、本発明による時計の構成は、下記に記載の手段を採用する。
【００１８】
本発明の時計においては、第１の基板と前記第１の基板と間隙を有して対向する第２の基板と、前記第１の基板と第２の基板との間に封入する第１の液晶層により第１の液晶表示パネルを構成し、前記第１の液晶表示パネルと同様に基板の間に液晶層を有する液晶表示パネルを複数個積層し、さらに、少なくとも、観察者側である前記第１の液晶表示パネルの最上面、および液晶表示パネルと液晶表示パネルとの間、および複数の液晶表示パネルの最下面に偏光板を配置し、それらの偏光板のうち少なくとも液晶表示パネルと液晶表示パネルとの間に配置される偏光板は、一方の偏光軸は反射し、ほぼ直交する偏光軸は透過する反射型偏光板であることを特徴とする。
【００１９】
本発明の時計は、前記複数の偏光板には、複数の反射型偏光板を有することを特徴とする。
【００２０】
本発明の時計は、第１の基板と前記第１の基板と間隙を有して対向する第２の基板と、前記第１の基板と第２の基板との間に封入する第１の液晶層とからなる第１の液晶表示パネルと、第３の基板と前記第３の基板と間隙を有して対向する第４の基板と、前記第３の基板と第４の基板との間に封入する第２の液晶層とからなる第２の液晶表示パネルを有し、前記第１の液晶表示パネルと第２の液晶表示パネルとは、少なくとも一部が重なり合い、かつ前記第１の液晶表示パネルを観察者側に配置し、さらに、前記第１の基板の上面には第１の偏光板を有し、前記第２の基板と第３の基板との間には第２の偏光板を有し、前記
第４の基板の下側には第３の偏光板を有し、前記第２および第３の偏光板の一方または双方は、一方の偏光軸は反射し、ほぼ直交する偏光軸は透過する反射型偏光板であることを特徴とする。
【００２１】
本発明の時計は、第１の基板と前記第１の基板と間隙を有して対向する第２の基板と、前記第１の基板と第２の基板との間に封入する第１の液晶層とからなる第１の液晶表示パネルと、前記第３の基板と前記第３の基板と間隙を有して対向する第４の基板と、前記第３の基板と第４の基板との間に封入する第２の液晶層とからなる第２の液晶表示パネルを有し、前記第１の液晶表示パネルと第２の液晶表示パネルとは、少なくとも一部が重なり合い、かつ前記第１の液晶表示パネルを観察者側に配置し、さらに、前記第２の基板の裏面、または前記第３の基板の上面のいずれかに前記反射型偏光板を接着し、さらに、前記反射型偏光板は、対向する基板との間に所定の間隙を有することを特徴とする。
【００２２】
本発明の時計は、前記反射型偏光板と、前記反射型偏光板に対向する基板との間隙は、時計の表示の見切りに利用する印刷層を有することを特徴とする。
【００２３】
本発明の時計は、前記第２および第３の偏光板は、いずれも反射型偏光板であることを特徴とする。
【００２４】
本発明の時計は、前記第１の偏光板には、一方の偏光軸は吸収し、ほぼ直交する偏光軸は透過する吸収型偏光板を有し、前記第２の偏光板は、一方の偏光軸は反射し、ほぼ直交する偏光軸は透過する反射型偏光板を有し、前記第３の偏光板は、拡散層を伴うことを特徴とする。
【００２５】
本発明の時計は、前記複数の液晶表示パネルの最下面の下側には、電圧印加にて発光する光源を有することを特徴とする。
【００２６】
本発明の時計は、前記複数の液晶表示パネルの最下面の下側には、電圧印加にて発光する光源を有し、さらに、光源上には、光を吸収し波長の変化を行い発光を行う蛍光インキ層を有することを特徴とする。
【００２７】
本発明の時計は、前記第１の液晶表示パネルと第１の偏光板と第２の偏光板の構成は、電圧を上昇することにより、高反射特性から、高透過特性となる配置とすることを特徴とする。
【００２８】
本発明の時計は、前記第２の液晶表示パネルと第２の偏光板と第３の偏光板の構成は、電圧を上昇することにより、高透過特性から、低透過率特性となる配置とすることを特徴とする。
【００２９】
本発明の時計は、前記第１の液晶表示パネルと第１の偏光板と第２の偏光板により、前記第１の液晶表示パネルの全面が高反射特性を示す状態を有することを特徴とする。
【００３０】
本発明の時計は、前記第１の液晶表示パネルと第１の偏光板と第２の偏光板により高反射率特性を示す状態の時には、前記第２の液晶表示パネルには小さい電圧を印加していることを特徴とする。
【００３１】
本発明の時計においては、前記第１の液晶表示パネルの表示が下層に配置する液晶表示パネルの表示を遮蔽する表示の場合には、下層の液晶表示パネルを駆動する電圧を下層の液晶表示パネルの表示を行う場合に使用する電圧より小さい電圧とすることを特徴とする。
【００３２】
本発明の時計は、前記第１の液晶表示パネルは、小さい電圧で強い反射特性を示し、大きい電圧で大きい透過特性を示すことを特徴とする。
【００３３】
〔作用〕
本発明の時計は、複数の液晶表示パネルを積層し、上側の液晶表示パネルにより下側の液晶表示パネルの表示内容を遮蔽（シャッター）する、または上側の液晶表示パネルと下側の液晶表示パネル表示を同期することにより、複雑な表示を可能とする。
【００３４】
また複数の液晶表示パネルに利用する偏光板には、一方の偏光軸は透過軸であり、ほぼ直交する偏光軸は反射軸を有する反射型偏光板を利用することにより、従来の半透過反射板を利用する場合に比較し、透過率を大きくすることが可能となる。
また、反射率を大きくすることが可能となり、さらに、鏡面（ミラー）調の反射表示を可能とする。
さらに、複数の液晶表示パネルの間に反射型偏光板を利用することにより、反射型偏光板の上層の液晶表示パネルの表示の際には、反射表示と透過表示を可能とする。
【００３５】
また、時計ケースと同色のミラー調の表示とすることにより、時計ケースと液晶表示パネルの表示が一体的になり、液晶表示パネルの従来の印象を改善し、時計のデザイン性の向上ができる。
【００３６】
また、第１の液晶表示パネルと第２の液晶表示パネルを重ね合わせる構造の場合には、第１の液晶表示パネルを全面反射と透過を可変する電極構造とすることにより、第１の液晶表示パネルが透過状態の際に、下側の液晶表示パネルの表示を鮮明に再現することができる。
すなわち、セグメント電極間のように、電圧の印加できない部分がなくなり、全面大きな透過状態とすることができるためである。
【００３７】
また、第１の液晶表示パネルと第２の液晶表示パネルを重ね合わせる構造の場合に、第１の液晶表示パネルにセグメント電極構造、またはマトリクス電極構造を採用する場合には、セグメント電極間、またはマトリクス電極間には所定の間隙を設けるため、全面を透過状態とすることができない。
そのため、下側の液晶表示パネルの表示は、第１の液晶表示パネルのセグメント電極の部分に配置することにより、第１の液晶表示パネルの非透過部による遮蔽を防止し、視認性を向上することができる。
【００３８】
また、第１の液晶表示パネルの表示を反射と透過とする場合には、第２の液晶表示パネルの表示を透過と吸収、または透過と反射により表示を行う。
とくに、透過状態において、散乱性を持たせることにより、コントラスト比の向上が可能となる。
【００３９】
また、第１の液晶表示パネルと偏光板により、大きな反射状態の時には、第２の液晶表示パネルの表示を行わず、全面均一な表示とすることにより、第１の液晶表示パネルの反射状態の際に、下層の状態が透けて見える状態においても、第１の液晶表示パネルの見かけ上のコントラスト比が向上し、均一な表示が可能となる。
また、光源を点灯する場合には、少なくとも、第１の液晶表示パネルの一部を点灯状態とすることにより、コントラスト比が見かけ上向上し、第１の液晶表示パネルと偏光板による光の漏れを認識し難くできる。
【００４０】
さらに、第２の液晶表示パネルの下側に設ける偏光板に散乱性を設けることにより、第１の液晶表示パネルの表示と第２の液晶表示パネルの表示のコントラスト比を大きくするこ
とができる。
また、外部光源を利用して第２の液晶表示パネルの表示を行う場合には、第１の液晶表示パネルの透過率の大きい部分からの光を利用して表示を行うため、偏光板を反射板として利用する方法、または偏光板の下側に反射板を設ける方法を採用することにより、明るい表示が可能となる。
とくに、反射型偏光板を利用し、反射型偏光板と第２の液晶表示パネルの下側の基板との間に、拡散性を有する層を設けることによりさらに改善できる。
【００４１】
さらに、第２の液晶表示パネルの偏光板と光源との間に入射光により励起し、特定の波長の光の反射と発光を行う蛍光インキ層を設けることにより、とくに反射板を利用しなくともコントラスト比のある表示が可能となる。
蛍光インキ層の色は、偏光板によりエネルギーの高い領域の光は吸収、または反射されるため、波長の長い可視光を示す蛍光インキを利用することにより、明るい表示が可能となる。
【００４２】
また、第１の液晶表示パネルが全面に反射率が大きい状況の場合に、時計が正常に動作しているか、否かを認識することが難しいため、第１の液晶表示パネルの一部を動作しておく方法を採用する。
あるいは、第１の液晶表示パネルの一部を透過状態しておき、第２の液晶表示パネルの表示を認識できる状態としておく方法を採用する。あるいは、第１の液晶表示パネルより、第２の液晶表示パネルを大きくしておき、第１の液晶表示パネルの表示に依存することなく、第２の液晶表示パネルの表示を認識可能とする方法を採用する。
またさらに、第１の液晶表示パネルの下側に設ける液晶表示パネルを複数分割し、第１の液晶表示パネルの表示により遮蔽と認識を行う部分と、第１の液晶表示パネルの表示に依存することなく、第２の液晶表示パネルの表示を認識可能とする方法を採用する。
以上のいずれかの手段を採用することによって、第１の液晶表示パネルの表示状態が下側に設ける液晶表示パネルの表示を遮蔽するシャッターとして機能しても、時計の動作を確認することができる。
【００４３】
【発明の実施の形態】
＜第１の実施形態：図１から図５＞
以下に本発明を実施するための最良の形態における時計について図面を参照しながら説明する。図１は、本発明の時計の実施形態を説明するための平面模式図である。図２は、第１の液晶表示パネルのシャッターを閉じた状況を示す平面模式図である。図３は、第１の液晶表示パネルのシャッターが一部開いた状況を示す平面模式図である。図４は、図１のＢ−Ｂ線における断面模式図である。図５は、第１の実施形態におけるシステムブロック図である。以下に、図１と図２と図３と図４と図５とを交互に用いて第１の実施形態を説明する。
【００４４】
はじめに第１の液晶表示パネルの構成は、風防ガラス側（観察者の視認側）より、第１の基板１１と第１の電極１２と、第１の基板１１に所定の間隙を設けて対向する第２の基板１３と第２の基板１３上に設ける第２の電極１４からなる。
さらに、第１の電極１２と第２の電極１４との重なり合う部分が表示画素となる。
この第１の実施形態においては、表示画素は、分割をしていない一面の電極形状を利用する。
【００４５】
第１の基板１１と第２の基板１３との間には、第１の液晶層１５を有し、第１の液晶層１５は、シール材３３と封口材（図示せず）により封入されている。
また、第１の基板１１と第２の基板１３上とには、第１の液晶層１５を所定の方向に揃えるために、配向膜（図示せず）を設ける。
たとえば、第１の液晶層１５としてツイストネマティック液晶を利用する場合には、第１の基板１１側では７：３０の方向に、第２の基板１３側では４：３０の方向に配向し、第１の液晶層１５のツイスト角は、９０度である。
【００４６】
第１の基板１１上には、色素を一方向に延伸した吸収型偏光板からなる第１の偏光板２１を有し、第２の基板１２上には、反射型偏光板としてスリーエム製のＤＢＥＦ（商品名）からなる第２の偏光板２２を有する。
第１の偏光板２１と第２の偏光板２２の透過軸が平行となるように配置し、液晶表示パネルとの組み合わせによって、液晶層１５の電圧が小さい場合に、強い反射特性を示し、大きな印加電圧の場合に、透過特性を示す状態とする。第２の偏光板２２は、第２の基板１３上に粘着材（図示せず）により接着する構造とする。
以上により、第１の液晶表示パネルを構成する。
【００４７】
つぎに、第２の液晶表示パネルの構成は、風防ガラス側（観察者の視認側）より、第３の基板１６と第３の電極１７と、第３の基板１６に所定の間隙を設けて対向する第４の基板１８と第４の基板１８上に設ける第４の電極１９を有し、第３の電極１７と第４の電極１９との重なり合う部分が表示画素となる。
この第１の実施形態においては、表示画素は、複数の画素に分割しているセグメント型の電極形状をとする。
【００４８】
第３の基板１６と第４の基板１８の間には、第２の液晶層２０を有し、第２の液晶層２０は、シール材３３と封口材（図示せず）により封入されている。
また、第３の基板１６と第４の基板１８上とには、第２の液晶層２０を所定の方向に揃えるために、配向膜（図示せず）を設ける。
たとえば、第２の液晶層２０に、ツイストネマティック液晶を利用する場合には、第３の基板１６側では７：３０の方向に、第４の基板１３側では４：３０の方向に第２の液晶層２０は配向し、ツイスト角を９０度としている。
すなわち、第１の液晶層１５と第２の液晶層２０の配向方向は、同一であり、優先視野方向も同一である。
【００４９】
第３の基板１６上には、偏光板は設けず、第２の偏光板２２により代用し、第４の基板１８上には、吸収型偏光板２３を採用する。第２の偏光板２２と第３の偏光板２３の透過軸を直交に配置し、液晶表示パネルとの組み合わせにより、第２の液晶層２０に印加する電圧が小さい場合には、大きい透過特性を示し、大きな印加電圧の場合に、大きい吸収特性を示す。
第２の偏光板２２と第３の基板１６との間には、スペーサー３５を有し、少なくとも第２の偏光板２２と第３の基板１６とが密着しない構造としている。さらに、第３の偏光板２３の下側には、５０パーセント以上の光を反射し、残りを透過する半透過反射板２５を有する。半透過反射板の透過率と反射率の割合は、反射膜である銀（Ａｇ）の膜厚を制御することにより可能である。以上により、第２の液晶表示パネルを構成する。
【００５０】
この第１の実施形態においては、第３の偏光板２３の下側に配置する半透過板として反射膜を使用する例を示したが、半透過特性を示す材料であれば使用可能であり、とくに、反射型偏光板、またはコレステリック液晶フィルムと１／４λ板との複合膜、または薄膜を多層構造する選択反射膜を利用することにより、光の有効利用が可能であるため、有効である。
【００５１】
以上の構成を有する第２の液晶表示パネルの下側には、エレクトロルミネッセント（ＥＬ）素子からなる光源７を有し、さらに、液晶表示パネルと光源７に所定の電圧を印加するための回路基板５を有する。
【００５２】
回路基板５と第１の液晶表示パネルとの接続には、第１のゼブラゴム３６を利用し、回路基板５と第２の液晶表示パネルとの接続には、第２のゼブラゴム３７を利用する。第１のゼブラゴム３６は、第２のゼブラゴムより接続方向に長くしてある。さらに、第１の液晶表示パネルを構成する基板と第２の液晶表示パネルを構成する基板との関係は、少なくとも一辺においては、大きい順に第１の基板１１、第２の基板１３、第３の基板１６、第４の基板１８となっている。
【００５３】
また、液晶表示パネルを保持するパネル押え８に第２の偏光板２２と第３の基板１７との間に設けるスペーサー３５を設ける。
パネル押え８にスペーサー３５を設けることにより、第１の液晶表示パネルと第２の液晶表示パネルをパネル押え８に組み込むことにより、一定の間隙を設けることができると同時に、第１の液晶表示パネルと第２の液晶表示パネルをパネル押え８に保持することが可能となる。
【００５４】
また、第２の偏光板２２と第３の基板１６とを接着しないことにより、パネル押え８と各液晶表示パネルの外形を合わせることにより、位置合わせが簡単に実行できる。
さらに、第２の偏光板２２と第３の基板１とのあいだに発生する気泡を防止できる。
また、第２の偏光板２２が反射型偏光板のために発生する第２の偏光板２２の歪みは、従来の吸収型偏光板の歪みでは見えない程度でも認識可能となる。そのため、第２の偏光板２２と第３の基板１６との間にスペーサー（間隙）を設けることは重要である。
【００５５】
また、第２の偏光板２２と第３の基板１６との間隙は、第２の基板１３と第３の基板１６の面積と厚さと厚さの均一性、または第２の偏光板２２と粘着層の厚さの均一性に依存するが、時計の場合には、大きさの限定があるため、３０から１０００マイクロメートル（μｍ）が良好であり、５０から５００マイクロメートル（μｍ）がさらに良い。
間隙の小さい場合には、第２の偏光板２２と第３の基板１７との密着により干渉縞が発生してしまう。逆に、大きい場合には、第２の偏光板２２と半透過反射板との距離が大きくなるため、第２の液晶表示パネルの表示にボケが発生してしまうことになる。
このスペーサー３５の高さを上記の値にすることにより、良好な表示を達成できる。
【００５６】
さらに、パネル押え８は、回路基板５を保持する回路押え９に固定され、回路基板５には、電池６が接続している。
電池６は、電池押えバネ３８により回路に接続している。
【００５７】
以上により、第１の液晶表示パネルと第２の液晶表示パネルの２層構造を有する時計モジュールが完成する。
また、時計モジュールを時計ケース（図示せず）に固定するため、モジュールバネ４０が回路押え９に固定している。
【００５８】
以上の構成を有する時計は、第１の液晶表示パネルは、第２の液晶表示パネルの表示部４１より広い面積の分割していない電極構造からなるシャッター表示部３０を有し、第１の液晶層１５に電圧を印加していないか、小さい電圧を印加する状態では、図２に示すように、均一な表示で、かつ強い反射特性を示す表示となる。
第１の液晶表示パネルは、第２の液晶表示パネルの表示を遮蔽するシャッター閉の役割をしている。
【００５９】
つぎに、図３に示すように、第２の液晶表示パネルの表示部４１に、午前午後表示部４２、時表示部４３と分表示部４４の表示を行い、第１の液晶表示パネルを構成する第１の液晶層１５に徐々に大きな電圧を印加することにより、第１の液晶表示パネルが強い反射特
性から大きい透過特性に変化し、シャッターは徐々に開状態となる。
そのため、第２の液晶表示パネルの表示は、第１の液晶表示パネルを介して認識することが可能となる。第１の液晶表示パネルのシャッターを徐々に開く機構は、本発明では、第１の液晶層１５の間隙（セルギャップ）に傾斜を設け、中央部で小さく、シール材３３の近傍で大きくすることにより行った。
【００６０】
第１の液晶表示パネルへ印加する電圧をさらに大きくすることにより、全体に大きな透過率を示し、図１に示すように、第２の液晶表示パネルの表示部４１の全面が認識可能となり、シャッターが完全に開いた状態となる。
【００６１】
〔時計の動作説明：図５〕
つぎに、本発明の第１の実施形態における時計の動作を図５に示すシステムブロック図を用いて説明する。
【００６２】
情報発生手段９２は、基準信号発生回路７２と時刻情報発生回路７５とクロノ情報発生回路７６よりなり、さらに、基準信号発生回路７２は、時間基準源７３と分周回路７４より構成されている。
そして、時間基準源７３は、時間基準信号（３２７６８Ｈｚ）を発生する。また、分周回路７４は、時間基準源７３からの時間基準信号を入力する複数段の分周回路よりなり、所定の基準信号の信号群を出力する。
【００６３】
時刻情報発生回路７５である時刻カウンタは、基準信号発生回路７２からの所定の基準信号に基づき、時刻をカウントし時刻信号を出力する。
そして、第１の表示ドライブ手段７７である液晶ドライバは、時刻信号に基づき表示ドライブ信号を表示装置７９である第２の液晶表示パネルに供給する。そして、第２の液晶表示パネルの表示部に時刻表示される。
【００６４】
同様に、クロノ情報発生回路７６であるクロノカウンタは、基準信号発生回路７２からの所定の基準信号に基づき、クロノ計測時間をカウントしクロノ信号を出力する。そして、液晶ドライバである第２の表示ドライブ手段７８は、クロノ信号に基づき表示ドライブ信号を前記第２の液晶表示パネルに供給する。
この第１の実施形態においては、表示部には、時刻表示を示しているが、調整ボタンにより、クロノ表示へ変更することができる。
【００６５】
つぎに、第１の液晶表示パネルの表示であるシャッター表示部に関して説明する。シャッター部９０のスイッチシャッター装置８３をシャッターとして駆動させるには、スイッチ手段８０より出力されたスイッチ信号は、第１の液晶表示パネルの表示の強い反射状態（シャッター閉）と大きい透過状態（シャッター開）を制御する開閉制御回路８１と第１の液晶表示パネルであるスイッチシャッター装置８３を駆動する開閉ドライブ回路８２よりなるシャッター制御手段９３に制御信号として出力される。
スイッチ手段は、時計の使用者が調整ボタンによる場合、または時刻設定と同期して自動的に発生する。または外部信号により強制的に発生する方法がある。また、基準信号発生回路７２の分周回路７４の信号を基準にして、開閉ドライブ回路の駆動周波数は決定している。
【００６６】
以上に説明するように、第１の実施形態の特徴は、第１の液晶表示パネルと第２の液晶表示パネルの間に第２の偏光板２２を設け、第２の偏光板２２は、反射型偏光板であり、第２の基板１３上に接着する。
第２の偏光板２２と第３の基板１６との間には、パネル押え８と一体構造のスペーサーを有し、所定の間隙を有し、第２の偏光板２２と第３の基板１６による干渉縞の防止と第１
の液晶表示パネルと第２の液晶表示パネルの合わせとパネル押え８への組み込みを容易にしている。
【００６７】
さらに、第１の液晶表示パネルの第１の電極１２と第２の電極１４の重なり部からなるシャッター表示部３０は、第２の液晶表示パネルの表示部４１より大きく、第１の液晶表示パネルの反射状態と透過状態を電圧にて制御し、シャッターとして作用する。
また、第１の液晶表示パネルと第１の偏光板２１と第２の偏光板２２とによって、第１の液晶層１５に電圧を印加しない、または小さい電圧を印加する状態にて反射状態としている。すなわち、第１の液晶表示パネルは、ノーマリー反射表示である。
【００６８】
＜第２の実施形態：図６＞
つぎに、本発明の第２の実施形態について図面を参照しながら説明する。図６は、図１のＢ−Ｂ線における別の実施形態を示す断面模式図である。
第２の実施形態の特徴は、第２の基板１３と第２の偏光板２２との間に印刷層からなるスペーサー４５を有し、第３の基板１６上に第２の偏光板２２を接着している。さらに、第４の基板１８の下側には、拡散層５６と第３の偏光板２３を有している点である。また、第２の偏光板２２と第３の偏光板２３とは、反射型偏光板を利用している。
第１の実施形態と同様な構成には、同様な番号を使用している。以下に図６を用いて第２の実施形態を説明する。
【００６９】
はじめに、第１の液晶表示パネルの構成は、風防ガラス側（観察者の視認側）より、第１の基板１１と第１の電極１２と、第１の基板１１に所定の間隙を設けて対向する第２の基板１３と第２の基板１３上に設ける第２の電極１４を有し、第１の電極１２と第２の電極１４との重なり合う部分が表示画素となる。
この第２の実施形態においては、表示画素は、複数の分割しているいわゆるセグメント型の電極形状とする。
【００７０】
第１の基板１１と第２の基板１３との間には、第１の液晶層１５を有し、第１の液晶層１５は、シール材３３と封口材（図示せず）により封入されている。
また第１の基板１１と第２の基板１３上とには、第１の液晶層１５を所定の方向に揃えるために、配向膜（図示せず）を設ける。たとえば、第１の液晶層１５をツイストネマティック液晶とする場合には、第１の基板１１側では７：３０の方向に、第２の基板１３側では４：３０の方向に第１の液晶層１５は配向し、ツイスト角を９０度としている。
【００７１】
第１の基板１１上には、色素を一方向に延伸した吸収型偏光板からなる第１の偏光板２１を有し、第２の基板１２上には、第３の基板１６上の第２の偏光板２２と所定の間隙を設けるために、印刷層を設ける。
印刷層は、たとえば、第１の液晶表示パネルの見切り、または第２の液晶表示パネルの見切りと、第２の偏光板２２とのスペーサー４５を兼用している。
【００７２】
つぎに、第２の液晶表示パネルの構成は、風防ガラス側（観察者の視認側）より、第３の基板１６と第３の電極１７と、第３の基板１６に所定の間隙を設けて対向する第４の基板１８と第４の基板１８上に設ける第４の電極１９を有し、第３の電極１７と第４の電極１９との重なり合う部分が表示画素となる。
表示画素は、複数の電極に分割しているセグメント型の電極形状を利用する。
【００７３】
第３の基板１６と第４の基板１８の間には、第２の液晶層２０を有し、第２の液晶層２０は、シール材３３と封口材（図示せず）により封入されている。
また第３の基板１６と第４の基板１８上とには、第２の液晶層２０を所定の方向に揃えるために、配向膜（図示せず）を設ける。たとえば、第２の液晶層２０に、ツイストネマテ
ィック液晶を利用する場合には、第３の基板１６側では７：３０の方向に、第４の基板１３側では４：３０の方向に第２の液晶層２０は配向し、ツイスト角を９０度としている。すなわち、第１の液晶層１５と第２の液晶層２０の配向方向は同一であり、優先視野方向も同一である。
【００７４】
第３の基板１６上には、第２の偏光板２２として反射型偏光板を利用する。反射型偏光板は、スリーエム製のＤＢＥＦ（商品名）を使用する。
第１の偏光板２１と第２の偏光板２２の透過軸を平行に配置し、第１の液晶層１５との組み合わせにより、第１の液晶層１５の電圧が小さい場合に、強い反射特性を示し、大きな印加電圧の場合に、透過特性を示す。第２の偏光板２２は、第３の基板１６上に粘着材（図示せず）により接着する構造とする。
【００７５】
また、第４の基板１８上には、粘着材に屈折率の異なるビーズを混入し、拡散効果を有する拡散層４６と、拡散層４６により接着する反射型偏光板を設ける。
第２の偏光板２１と第３の偏光板２２の透過軸を直交に配置し、第２の液晶表示パネルと組み合わせることによって、第２の液晶層２０の電圧が小さい場合には、大きい透過特性を示し、大きな印加電圧の場合に、拡散層４６による拡散性を有する強い反射特性を示す。
【００７６】
第３の偏光板２３を反射型偏光板とし、第４の基板１８と第３の偏光板２３との間に拡散層５７を配置することにより、第２の偏光板２２を透過した光を拡散層５７により効率良く、第３の偏光板２３側に入射し、さらに、第２の偏光板２２側に出射することができる。
さらに第１の液晶表示パネルは、反射状態と透過状態を示すため、第１の液晶表示パネルが反射状態の部分と透過状態の部分を有する表示を行う場合には、第２の液晶表示パネルは、散乱状態と透過状態を示すことにより、第１の液晶表示パネルとの差が強調され、第２の液晶表示パネルの表示の視認性が向上できる。
【００７７】
また、第３の偏光板２３は、反射特性を有するため、とくに半透過反射板による光のロスをなくし、第２の偏光板２２と第２の液晶層２０による偏光に適した反射を行うことができるため、明るい表示が可能となる。
また、第３の偏光板２３の下側に、蛍光印刷層（図示せず）を設け、さらに、蛍光印刷層の色を可視光の長波長側の色にすることにより、第１の液晶表示パネルが透過状態であり、第２の液晶表示パネルが透過状態の際に明るく、色の美しい表示が可能となる。
【００７８】
＜第３の実施形態：図７から図１０＞
つぎに、本発明の第３の実施形態について図面を参照しながら説明する。図７は第１の液晶表示パネルのすべての表示部が透過状態（シャッター開）であり、第２の液晶表示パネルに表示を行っている状態を示す平面模式図である。図８は第１の液晶表示パネルの中央の表示部（キャラクター表示部）のみが透過状態であり、他の表示部が反射状態（シャッター閉）の状態を示す平面模式図である。図９は、図１のＢ−Ｂ線に相当する部分の第３の実施形態における断面模式図であり、図１０は、第３の実施形態におけるシステムブロック図である。
以下に、図７と図８と図９と図１０とを交互に用いて第３の実施形態を説明する。
【００７９】
はじめに、第１の液晶表示パネルの構成は、風防ガラス側（観察者の視認側）より、第１の基板１１と第１の電極１２と、第１の基板１１に所定の間隙を設けて対向する第２の基板１３と第２の基板１３上に設ける第２の電極１４を有し、第１の電極１２と第２の電極１４との重なり合う部分が表示画素となる。
この第３の実施形態においては、中央部が大きな面積の表示電極からなるキャラクター表
示部５０であり、前記キャラクター表示部の上下に４分割ずつのセグメント電極からなる表示部を有する。すなわち、全体で９分割の電極からなる。
【００８０】
第１の基板１１と第２の基板１３との間には、第１の液晶層１５を有し、第１の液晶層１５は、シール材３３と封口材（図示せず）により封入されている。
また、第１の基板１１と第２の基板１３上とには、液晶層１５を所定の方向に揃えるために、配向膜（図示せず）を設ける。たとえば、第１の液晶層１５に、ツイストネマティック液晶を利用する場合には、第１の基板１１側では７：３０の方向に、第２の基板１３側では４：３０の方向に第１の液晶層１５は配向し、ツイスト角を９０度としている。
【００８１】
第１の基板１１上には、色素を一方向に延伸した吸収型偏光板からなる第１の偏光板２１を有し、第２の基板１２上には、反射型偏光板としてスリーエム製のＤＢＥＦ（商品名）からなる第２の偏光板２２とを有する。
第１の偏光板２１と第２の偏光板２２の透過軸を平行に配置し、第１の液晶層１５との組み合わせによって、第１の液晶層１５に印加する電圧が小さい場合には、強い反射特性を示し、大きい場合には、透過特性を示す。第２の偏光板２２は、第２の基板１３上に粘着材（図示せず）により接着する構造とする。
以上により、第１の液晶表示パネルを構成する。
【００８２】
つぎに、第２の液晶表示パネルの構成は、風防ガラス側（観察者の視認側）より、第３の基板１６と第３の電極１７と、第３の基板１６に所定の間隙を設けて対向する第４の基板１８と第４の基板１８上に設ける第４の電極１９を有し、第３の電極１７と第４の電極１９との重なり合う部分が表示画素となる。
この第３の実施形態においては、表示画素は、複数の電極に分割しているセグメント型の電極形状を利用する。
【００８３】
第３の基板１６と第４の基板１８の間には、第２の液晶層２０を有し、第２の液晶層２０は、シール材３３と封口材（図示せず）により封入されている。
また第３の基板１６と第４の基板１８上とには、第２の液晶層２０を所定の方向に揃えるために、配向膜（図示せず）を設ける。たとえば、第２の液晶層２０に、ツイストネマティック液晶を利用する場合には、第３の基板１６側では７：３０の方向に、第４の基板１３側では４：３０の方向に第２の液晶層２０は配向し、ツイスト角を９０度としている。すなわち、第１の液晶層１５と第２の液晶層２０の配向方向は、同一であり、優先視野方向も同一である。
【００８４】
第３の基板１６上には、偏光板は設けず、第２の偏光板２２により代用し、第４の基板１８上には、拡散層４６と反射型偏光板からなる第３の偏光板２３とを設ける。
第２の偏光板２２と第３の偏光板２３の透過軸を直交に配置し、第２の液晶層２０との組み合わせにより、液晶層１５の電圧が小さい場合には、大きい透過特性を示し、大きな印加電圧の場合に、強い反射特性を示す。第２の偏光板２２と第３の基板１６との間には、第３の基板１６上に設ける印刷層５５を設け、第２の偏光板２２と第３の基板１６とは、所定の間隙５６を有する構造とする。
【００８５】
以上により、第１の液晶表示パネルと第２の液晶表示パネルの２層構造を有する時計モジュールが完成する。
【００８６】
以上の構成を有する時計は、第１の液晶表示パネルは、第２の液晶表示パネルの表示部４１より広い面積の分割していない電極構造からなるシャッター表示部３０を有し、第１の液晶層１５に電圧を印加していないか、小さい電圧を印加する状態では、均一な表示で、かつ強い反射特性を示す表示となる。
第１の液晶表示パネルは、第２の液晶表示パネルの表示を遮蔽するシャッター閉の役割をしている。
【００８７】
つぎに、図７に示すように、第２の液晶表示パネルの表示部に、ＤＡＴＥ、クロノ、アラーム、タイマーのモード表示部４７と、ＤＡＴＥモードの場合の月表示部４８、と日表示部４９がキャラクター表示部５０の上方向に表示する。
また、キャラクター表示部５０の下方向には、午前午後表示部４２と時表示部４３と分表示部４４とが表示する。また、キャラクター表示部５０には、たとえば、複数の魚と水玉のキャラクターが表示している。
図７に示すように、第１の液晶表示パネルは、全ての表示部にて透過状態（シャッター開）となっているが、各セグメント電極間には電圧が印加しないため、反射状態（シャッター閉）となる。しかし、各セグメント電極間と第２の液晶表示パネルの表示内容（フォントサイズ）を整合することにより、大きな問題とはならない。
【００８８】
すなわち、第１の液晶表示パネルのセグメント電極間を、第２の液晶表示パネルの表示と整合するために、第１の液晶表示パネルのセグメント電極より小さいフォントの表示を第２の液晶表示パネルにて表示する場合には、第１の液晶表示パネルのセグメント電極より小さくし、さらに、セグメント電極の中央に配置することにより、第１の液晶表示パネルの反射率の大きい、常時シャッター閉の部分による第２の液晶表示パネルの表示が遮蔽されて視認できないことが防止できる。
【００８９】
また、キャラクター表示部５０は、大きなセグメント電極としているため、動きのある表示においても、第１の液晶表示パネルのセグメント電極間の問題を防止できる。
【００９０】
つぎに図８に示すように、第１の液晶表示パネルは、キャラクター表示部５０のみがシャッター開の状態であり、他の表示部は、シャッター閉の状態を示している。
図８においては、第２の液晶表示パネルのキャラクター表示以外の表示を行わないため、便宜上、第１の液晶表示パネルのシャッターが開のように示してあるが、第１の液晶表示パネルのシャッターは閉の状態である。また、第１の液晶表示パネルは、すべてのセグメント電極に小さい電圧、または第１の電極１２と第２の電極１４間に同じ電圧を印加することにより、全面に均一な反射状態（シャッター閉）とすることも当然可能である。
【００９１】
さらに時計ケース１には、調整ボタン５１とモード切り替えボタン５２と第２の液晶表示パネルの下側に設ける光源（図示せず）を点灯するライトボタン５３とクロノのスターストップボタン５４とを設ける。
以上により、第１の液晶表示パネルのシャッター効果と第２の液晶表示パネルの表示を従来に比較し非常に有効に活用することが可能となる。また、時計ケース１を金属調に仕上げ、第１の液晶表示パネルのシャッター閉の状態を反射状態とすることにより、時計全体がミラー調となる。
さらに、キャラクター表示、および、時刻等の表示も可能となる。
【００９２】
〔時計の動作説明：図１０〕
つぎに、本発明の第３の実施形態における時計の動作を図１０に示すシステムブロック図を用いて説明する。
【００９３】
情報発生手段９２は、基準信号発生回路７２と時刻情報発生回路７５とクロノ情報発生回路７６よりなり、さらに、基準信号発生回路７２は、時間基準源７３と分周回路７４より構成されている。
そして、時間基準源７３は、７３は、時間基準信号（３２７６８Ｈｚ）を発生する。また、分周回路７４は、時間基準源７３からの時間基準信号を入力する複数段の分周回路より
なり、所定の基準信号の信号群を出力する。
【００９４】
時刻情報発生回路７５である時刻カウンタは、基準信号発生回路７２からの所定の基準信号に基づき、時刻をカウントし時刻信号を出力する。
そして、第１の表示ドライブ手段７７である液晶ドライバは、時刻信号に基づき表示ドライブ信号を表示装置７９である第２の液晶表示パネルに所定の信号を供給する。そして、第１の液晶表示パネルの表示部に時刻表示される。
【００９５】
同様に、キャラクター情報発生回路８４であるキャラクターカウンタは、基準信号発生回路７２からの所定の基準信号に基づき、キャラクターの動きをカウントしキャラクター動作信号を出力する。
そして、液晶ドライバである第２の表示ドライブ手段７８は、キャラクター動作信号に基づき表示ドライブ信号を前記第１の液晶表示パネルに供給する。
【００９６】
つぎに、第１の液晶表示パネルの表示であるシャッター表示部に関して説明する。シャッター部９０のスイッチシャッター装置８３をシャッターとして駆動させるには、スイッチ手段８０より出力されたスイッチ信号は、第１の液晶表示パネルの表示の強い反射状態（シャッター閉）と大きい透過状態（シャッター開）を制御する開閉制御回路８１と第１の液晶表示パネルであるスイッチシャッター装置８３を駆動する開閉ドライブ回路８２よりなるシャッター制御手段９３に制御信号として出力される。
【００９７】
また、スイッチ手段は、時計の使用者が調整ボタンによる場合、または時刻設定と同期して自動的に発生する。あるいは外部信号により強制的に発生する方法がある。
また、基準信号発生回路７２の分周回路７４の信号を基準にして、開閉ドライブ回路の駆動周波数は決定している。本実施形態に利用するシステムは、第１の液晶表示パネルの表示がシャッター閉の状態の部分の第２の液晶表示パネルの表示をオフ状態とするために、データー選択回路７１を設けている。データー選択回路７１により、第１の液晶表示パネルの表示状態がシャッター開の状態の時には、第３の電極１７と第４の電極１９とに所定の電圧を印加して透過状態を可変し、表示を行う。逆にシャッター閉の状態の際には、第３の電極１７と第４の電極１９と電圧を等しくして第２の液晶層２０に電圧を印加せず、消費電力を低減する。
また、第１の液晶表示パネルのシャッター閉の領域から第２の液晶表示パネル表示が透けることを防止している。
【００９８】
以上に説明するように、第３の実施形態の特徴は、第１の液晶表示パネルと第２の液晶表示パネルの間に第２の偏光板２２を設け、第２の偏光板２２は、反射型偏光板であり、第２の基板１３上に接着する。
第２の偏光板２２と第３の基板１６との間には、第３の基板１６上に設ける印刷層５５により所定の間隙を設け、第２の偏光板２２と第３の基板１６による干渉縞の防止する。
【００９９】
また第１の液晶表示パネルの表示は、複数のセグメント電極構造を採用する。前記セグメント電極と第２の液晶表示パネルに表示するフォントの大きさと位置の整合を行う。
さらに、第１の液晶表示パネルのシャッター開閉により、第２の液晶表示パネルの表示状況を制御し、視認性の向上と、消費電力を小さくする。
【０１００】
＜第４の実施形態：図１１＞
つぎに、本発明の第４の実施形態について図１１を参照しながら説明する。図１１は、図１のＢ−Ｂ線における別の実施形態を示す断面模式図である。
第４の実施形態の特徴は、第２の基板１３と第２の偏光板２２とを粘着材により接着し、第２の偏光板２２と第３の基板１７との間に拡散層５７を設けている点である。さらに、
第４の基板１８の下側には、拡散層５７と第３の偏光板２３を有している。また第２の偏光板２２と第３の偏光板２３とは、反射型偏光板を利用している。
第１の実施形態と同様な構成には、同様な番号を使用している。以下に図１１を用いて第４の実施形態を説明する。
【０１０１】
はじめに、第１の液晶表示パネルの構成は、風防ガラス側（観察者の視認側）より、第１の基板１１と第１の電極１２と、第１の基板１１に所定の間隙を設けて対向する第２の基板１３と第２の基板１３上に設ける第２の電極１４を有し、第１の基板１１と第２の基板１３との間隙には第１の液晶層１５を封入する。第１の電極１２と第２の電極１４との重なり合う部分が表示画素となる。
この第４の実施形態においては、表示電極は、複数に分割している、いわゆるセグメント型の電極形状を使用する。
【０１０２】
第１の基板１１上には、沃素（Ｉ）を一方向に配向した吸収型偏光板からなる第１の偏光板２１を有し、第２の基板１２上には、反射型偏光板としてスリーエム製のＤＢＥＦ（商品名）からなる第２の偏光板２２とを有する。
第１の偏光板２１と第２の偏光板２２の透過軸を平行に配置し、第１の液晶層１５との組み合わせによって、第１の液晶層１５に印加する電圧が小さい場合には、強い反射特性を示し、大きい場合には、透過特性を示す。第２の偏光板２２は、第２の基板１３上に粘着材（図示せず）により接着する構造とする。以上により、第１の液晶表示パネルを構成する。
【０１０３】
つぎに、第２の液晶表示パネルの構成は、風防ガラス側（観察者の視認側）より、第３の基板１６と第３の電極１７と、第３の基板１６に所定の間隙を設けて対向する第４の基板１８と第４の基板１８上に設ける第４の電極１９を有し、第３の電極１７と第４の電極１９との重なり合う部分が表示画素となる。
表示画素は、複数の電極に分割しているセグメント型の電極形状を利用する。
【０１０４】
第３の基板１６と第４の基板１８の間には、第２の液晶層２０を有し、第２の液晶層２０は、シール材３３と封口材（図示せず）により封入されている。
また第３の基板１６と第４の基板１８上とには、第２の液晶層２０を所定の方向に揃えるために、配向膜（図示せず）を設ける。たとえば、第２の液晶層２０に、ツイストネマティック液晶を利用する場合には、第３の基板１６側では７：３０の方向に、第４の基板１３側では４：３０の方向に第２の液晶層２０は配向し、ツイスト角を９０度としている。すなわち、第１の液晶層１５と第２の液晶層２０の配向方向は同一であり、優先視野方向も同一である。
【０１０５】
第３の基板１６上には、偏光板は設けず、第２の偏光板２２により代用する。また、第３の基板１６上には、樹脂に屈折率の異なるビーズの混合材料からなる拡散層ａ５７を有する。
また、第４の基板１８上には、粘着材に屈折率の異なるビーズを混入し、拡散効果を有する（第１の）拡散層４６と、拡散層４６により接着する反射型偏光板２３を設ける。
第２の偏光板２２と第３の偏光板２３の透過軸を直交に配置し、第２の液晶層２０と組み合わせることにより、第２の液晶層２０に印加する電圧が小さい場合には、大きい透過特性を示し、大きい場合には、拡散層５７による拡散性を有する強い反射特性を示す。
【０１０６】
第２の偏光板２２と第３の基板１６との間に、拡散層ａ５７を設けることにより、第２の偏光板２２と第３の基板１６の密着による干渉縞の発生の防止と、第２の液晶表示パネルの白さの強調が可能となる。
さらに、第３の偏光板２３を反射型偏光板とし、第４の基板１８と第３の偏光板２３との
間に拡散層４６を配置することにより、第２の偏光板２２を透過した光を拡散層４６により効率良く反射型偏光板に入射し、さらに、第２の偏光板２２側に出射することができる。
さらに第１の液晶表示パネルは、反射状態と透過状態を示すため、第１の液晶表示パネルが反射状態の部分と透過状態の部分を同時に表示している場合には、第２の液晶表示パネルは、散乱状態と透過状態を示す方が見かけ上のコントラスト比が向上し、第２の液晶表示パネルの表示の視認性が改善できる。
【０１０７】
また、第３の偏光板２３は、反射特性を有するため、半透過反射板を使用する場合に比較して光のロスを低減できる。すなわち、第２の偏光板２２と第２の液晶層２０の偏光に適した反射を利用できるため、明るい表示が可能となる。
また、第３の偏光板２３の下側に、蛍光印刷層（図示せず）を設け、さらに、蛍光印刷層の色を可視光の長波長側の色にすることにより、第１の液晶表示パネルが透過状態で、かつ第２の液晶表示パネルが透過状態の際に明るく、色の美しい表示が可能となる。
【０１０８】
＜第５の実施形態：図１２＞
つぎに、本発明の第５の実施形態について図１２を参照しながら説明する。図１２は、図１のＢ−Ｂ線における別の実施形態を示す断面模式図である。第５の実施形態の特徴は、第２の基板１３と第２の偏光板２２とを粘着材により接着し、第２の偏光板２２と第３の基板１７との間に間隙（空気層）５６を設けている点である。さらに、第４の基板１８の下側には、第３の偏光板２３として反射型偏光板を有している。
第１の実施形態と同様な構成には、同様な番号を使用している。以下に図１２を用いて第５の実施形態を説明する。
【０１０９】
はじめに、第１の液晶表示パネルの構成は、風防ガラス側（観察者の視認側）より、第１の基板１１と第１の電極１２と、第１の基板１１に所定の間隙を設けて対向する第２の基板１３と第２の基板１３上に設ける第２の電極１４を有し、第１の基板１１と第２の基板１４との間隙に第１の液晶層１５が封入する。第１の電極１２と第２の電極１４との重なり合う部分が表示画素となる。
この第５の実施形態においては、表示画素は、複数の分割している、いわゆるセグメント型の電極形状を使用する。
【０１１０】
第１の基板１１上には、吸収型偏光板からなる第１の偏光板２１を有し、第２の基板１２上には、反射型偏光板からなる第２の偏光板２２を有する。
第１の偏光板２１と第２の偏光板２２の透過軸を平行に配置し、液晶表示パネルとの組み合わせにより、液晶層１５の印加電圧が小さい場合には、強い反射特性を示し、大きい場合には、透過特性を示す。第２の偏光板２２は、第２の基板１３上に粘着材（図示せず）により接着する構造とする。以上により、第１の液晶表示パネルを構成する。
【０１１１】
つぎに、第２の液晶表示パネルの構成は、風防ガラス側（観察者の視認側）より、第３の基板１６と第３の電極１７と、第３の基板１６に所定の間隙を設けて対向する第４の基板１８と第４の基板１８上に設ける第４の電極１９を有し、第３の電極１７と第４の電極１９との重なり合う部分が表示画素となる。
表示画素は、複数の電極に分割しているセグメント型の電極形状を利用する。
【０１１２】
第３の基板１６と第４の基板１８の間には、第２の液晶層２０を有し、第２の液晶層２０は、シール材３３と封口材（図示せず）により封入されている。また第３の基板１６と第４の基板１８上とには、第２の液晶層２０を所定の方向に揃えるために、配向膜（図示せず）を設ける。たとえば、第２の液晶層２０に、ツイストネマティック液晶を利用する場合には、第３の基板１６側では７：３０の方向に、第４の基板１３側では４：３０の方向
に第２の液晶層２０は配向し、ツイスト角を９０度としている。すなわち、第１の液晶層１５と第２の液晶層２０の配向方向は、同一であり、優先視野方向も同一である。
【０１１３】
第３の基板１６上には、偏光板は設けず、第２の偏光板２２により代用する。また、第４の基板１８上には、第３の偏光板２３として、粘着層（図示せず）により接着する反射型偏光板を設ける。
第２の偏光板２１と第３の偏光板２２の透過軸を直交に配置し、第２の液晶表示パネルと組み合わせることによって、第２の液晶層２０の電圧が小さい場合には、大きい透過特性を示す。
【０１１４】
第２の偏光板２２と第３の基板１６との間に、間隙５６を設けることにより、第２の偏光板２２と第３の基板１６の密着による干渉縞の発生の防止ができる。
さらに、第２の偏光板２２と第３の偏光板２３とを反射型偏光板とすることにより、第２の液晶表示パネルは大きな反射特性を有するため、第１の液晶表示パネルの反射特性を強化することが可能となる。とくに、第２の液晶表示パネルをセグメント電極構造ではなく、第３の電極１７と第４の電極１９とがストライプ電極構造からなり、ストライプ電極の交点が画素電極となる場合には、大きな面積を透過状態と反射状態とに可変することが可能なため、第１の液晶表示パネルの反射状態の部分では、第２の液晶表示パネルも反射状態とすることにより、非常に良好な反射特性を達成できる。
【０１１５】
さらに、第１の液晶表示パネルの表示状態が、透過状態（シャッター開）の場合においても、第２の液晶表示パネルの表示を反射状態と透過状態の表示を行うことにより、第１の液晶表示パネルの反射状態の余韻を残すことが可能となる。
すなわち、第２の液晶表示パネルの反射特性を利用し、第１の液晶表示パネルの反射特性を補強し、透過特性となる部分も第２の液晶表示パネルの反射表示の画素を利用し、全面反射状態とすることができる。また、第２の偏光板２２と第３の偏光板２３との多重反射を利用し、従来の吸収型偏光板では吸収していた部分の光を再度、観察者側に出射することができるため、２層構造の液晶表示パネルを利用する場合には、明るい表示が可能となる。
【０１１６】
＜第６の実施形態：図１３＞
つぎに、本発明の第６の実施形態について図１３を参照しながら説明する。図１３は、
図１のＢ−Ｂ線における別の実施形態を示す断面模式図である。第６の実施形態の特徴は、第２の基板１３と第２の偏光板２２とを粘着材により接着し、第２の偏光板２２と第３の基板１７との間に間隙（空気層）５６を設けている点である。さらに、第４の基板１８の下側には、第３の偏光板２３として反射型偏光板を有している。さらに、第４の基板１８と第３の偏光板２３との間には、カラーフィルターを設ける点にある。
第１の実施形態と同様な構成には、同様な番号を使用している。以下に図１３を用いて第６の実施形態を説明する。
【０１１７】
はじめに、第１の液晶表示パネルの構成は、風防ガラス側（観察者の視認側）より、第１の基板１１と第１の電極１２と、第１の基板１１に所定の間隙を設けて対向する第２の基板１３と第２の基板１３上に設ける第２の電極１４を有し、第１の基板１１と第２の基板１３との間隙には、第１の液晶層１５を封入する。第１の電極１２と第２の電極１４との重なり合う部分が表示画素となる。
この第６の実施形態においては、表示画素は、複数の分割しているいわゆるセグメント型の電極形状を使用する。
【０１１８】
第１の基板１１上には、吸収型偏光板からなる第１の偏光板２１を有し、第２の基板１２上には、反射型偏光板からなる第２の偏光板２２とを有する。
第１の偏光板２１と第２の偏光板２２の透過軸を平行に配置し、液晶表示パネルとの組み合わせにより、液晶層１５の電圧が小さい場合に、強い反射特性を示し、大きな印加電圧の場合に、透過特性を示す。第２の偏光板２２は、第２の基板１３上に粘着材（図示せず）により接着する構造とする。以上により、第１の液晶表示パネルを構成する。
【０１１９】
つぎに、第２の液晶表示パネルの構成は、風防ガラス側（観察者の視認側）より、第３の基板１６と第３の電極１７と、第３の基板１６に所定の間隙を設けて対向する第４の基板１８と第４の基板１８上に設ける第４の電極１９を有し、第３の電極１７と第４の電極１９との重なり合う部分が表示画素となる。
表示画素は、複数の電極に分割しているセグメント型の電極形状を利用する。
【０１２０】
第３の基板１６と第４の基板１８の間には、第２の液晶層２０を有し、第２の液晶層２０は、シール材３３と封口材（図示せず）により封入されている。
また第３の基板１６と第４の基板１８上とには、第２の液晶層２０を所定の方向に揃えるために、配向膜（図示せず）を設ける。たとえば、第２の液晶層２０に、ツイストネマティック液晶を利用する場合には、第３の基板１６側では７：３０の方向に、第４の基板１３側では４：３０の方向に第２の液晶層２０は配向し、ツイスト角を９０度としている。すなわち、第１の液晶層１５と第２の液晶層２０の配向方向は、同一であり、優先視野方向も同一である。
【０１２１】
第３の基板１６上には、偏光板は設けず、第２の偏光板２２により代用する。
また、第４の基板１８上には、第３の偏光板２３として、粘着層（図示せず）により接着する反射型偏光板を設ける。さらに、第３の偏光板２３と第４の基板１８との間には、カラーフィルター５８を設ける。カラーフィルター５８を設けることにより、第３の偏光板２３の反射特性を利用し、明るい反射色を達成できる。さらに、多色カラーフィルター５８を利用することにより、色々なデザインを達成することが可能であり、第１の液晶表示パネルのシャッターの開閉との相乗効果によりデザイン性がさらに向上する。
また、カラーフィルター５８を蛍光印刷層とすることにより、明るい表示が可能となる。
【０１２２】
また、第２の偏光板２２と第３の基板１６との間に、間隙５６を設けることにより、第２の偏光板２２と第３の基板１６の密着による干渉縞の発生の防止ができる。
さらに、第２の偏光板２２と第３の偏光板２３とを反射型偏光板とすることにより、第２の液晶表示パネルは大きな反射特性を有するため、第１の液晶表示パネルの反射特性を強化することが可能となる。とくに、第２の液晶表示パネルをセグメント電極構造ではなく、第３の電極１７と第４の電極１９とがストライプ電極構造からなり、ストライプ電極の交点が画素電極となる場合には、大きな面積を透過状態と反射状態とに可変することが可能なため、第１の液晶表示パネルの反射状態の部分では、第２の液晶表示パネルも反射状態とすることにより、非常に良好な反射特性を達成できる。
【０１２３】
さらに、第１の液晶表示パネルの表示状態が、透過状態（シャッター開）の場合においても、第２の液晶表示パネルの表示を反射状態と透過状態の表示を行うことによって、第１の液晶表示パネルの反射状態の余韻をのこすことが可能となる。
また、第２の偏光板２２と第３の偏光板２３との多重反射を利用し、従来技術の吸収型偏光板では吸収していた部分の光を再度、観察者側に出射することができるため、２層構造の液晶表示パネルを利用する場合には、明るい表示が可能となる。
【０１２４】
＜第７の実施形態：図１４＞
つぎに、本発明の第７の実施形態について図１４を参照しながら説明する。図１４は、
図１のＢ−Ｂ線における別の実施形態を示す断面模式図である。
この第７の実施形態における特徴点は、第１の偏光板に反射型偏光板と吸収型偏光板の２
層からなる偏光板を利用する。また、第２の基板１３と第２の偏光板２２とを粘着材により接着し、第２の偏光板２２と第３の基板１７との間に間隙（空気層）５６を設けている。さらに、第４の基板１８の下側には、第３の偏光板２３として反射型偏光板を有している。さらに、第２の偏光板２２と第３の偏光板２３とは反射型偏光板である点ある。
第１の実施形態と同様な構成には、同様な番号を使用している。以下に図１４を用いて第７の実施形態を説明する。
【０１２５】
はじめに、第１の液晶表示パネルの構成は、風防ガラス側（観察者の視認側）より、第１の基板１１と第１の電極１２と、第１の基板１１に所定の間隙を設けて対向する第２の基板１３と第２の基板１３上に設ける第２の電極１４を有し、第１の電極１２と第２の電極１４との重なり合う部分が表示画素となる。
この第７の実施形態においては、表示電極は、複数の分割しているいわゆるセグメント型の電極形状を使用する。
【０１２６】
第１の基板１１上には、視認側より、吸収型偏光板からなる第５の偏光板２６と、反射型偏光板からなる第１の偏光板２１とを有する点である。第１の偏光板２１と第５の偏光板２６の透過軸は平行に配置する。
また、第２の基板１２上には、反射型偏光板からなる第２の偏光板２２を設ける。反射型偏光板は、スリーエム製のＤＢＥＦ（商品名）を採用する。第１の偏光板２１と第２の偏光板２２の透過軸を平行に配置し、液晶表示パネルとの組み合わせにより、液晶層１５へ印加する電圧が小さい場合には、強い反射特性を示し、大きい場合に、透過特性を示す。第２の偏光板２２は、第２の基板１３上に粘着材（図示せず）により接着する構造とする。以上により、第１の液晶表示パネルを構成する。
また、最上層に設ける吸収型偏光板（第５の偏光板）２６を設けることによって、第１の液晶表示パネルが透過状態の際に、反射型偏光板の反射軸に入射する外部光を吸収型偏光板の吸収軸により吸収ことにより、第２の液晶表示パネルの表示の視認性を改善するとともに、第１の偏光板２１と第２の偏光板２２との多重反射により、光の有効利用を行い、２層セルによる光のロスを低減する。
【０１２７】
つぎに、第２の液晶表示パネルの構成は、風防ガラス側（観察者の視認側）より、第３の基板１６と第３の電極１７と、第３の基板１６に所定の間隙を設けて対向する第４の基板１８と第４の基板１８上に設ける第４の電極１９を有し、第３の電極１７と第４の電極１９との重なり合う部分が表示画素となる。
表示画素は、複数の電極に分割しているセグメント型の電極形状を利用する。
【０１２８】
第３の基板１６と第４の基板１８の間には、第２の液晶層２０を有し、第２の液晶層２０は、シール材３３と封口材（図示せず）により封入されている。
また第３の基板１６と第４の基板１８上とには、第２の液晶層２０を所定の方向に揃えるために、配向膜（図示せず）を設ける。たとえば、第２の液晶層２０に、ツイストネマティック液晶を利用する場合には、第３の基板１６側では７：３０の方向に、第４の基板１３側では４：３０の方向に第２の液晶層２０は配向し、ツイスト角を９０度としている。すなわち、第１の液晶層１５と第２の液晶層２０の配向方向は、同一であり、優先視野方向も同一である。
【０１２９】
第３の基板１６上には、偏光板は設けず、第２の偏光板２２により代用する。また、第４の基板１８上には、第３の偏光板２３として、粘着層（図示せず）により接着する反射型偏光板を設ける。
【０１３０】
また、第２の偏光板２２と第３の基板１６との間に、間隙５６を設けることにより、第２の偏光板２２と第３の基板１６の密着による干渉縞の発生の防止ができる。
さらに、第２の偏光板２２と第３の偏光板２３とを反射型偏光板とすることにより、第２の液晶表示パネルは大きな反射特性を有するため、第１の液晶表示パネルの反射特性を強化することが可能となる。とくに、第２の液晶表示パネルをセグメント電極構造ではなく、第３の電極１７と第４の電極１９とがストライプ電極構造からなり、ストライプ電極の交点が画素電極となる場合には、大きな面積を透過状態と反射状態とに可変することが可能なため、第１の液晶表示パネルの反射状態の部分では、第２の液晶表示パネルも反射状態とすることにより、非常に良好な反射特性を達成できる。
【０１３１】
さらに、第１の液晶表示パネルの表示状態が、透過状態（シャッター開）の場合においても、第２の液晶表示パネルの表示を反射状態と透過状態の表示を行うことによって、第１の液晶表示パネルの反射状態の余韻をのこすことが可能となる。
また、第２の偏光板２２と第３の偏光板２３との多重反射を利用し、従来技術の吸収型偏光板では吸収していた部分の光を再度、観察者側に出射することができるため、２層構造の液晶表示パネルを利用する場合には、明るい表示が可能となる。
【０１３２】
＜第８の実施形態：図１５＞
つぎに、本発明の第８の実施形態について図１５を参照しながら説明する。図１５は、図１のＢ−Ｂ線における別の実施形態を示す断面模式図である。
第８の実施形態の特徴は、第２の液晶表示パネルに利用する第２の液晶層にスーパーツイステッドネマティク（ＳＴＮ）液晶を採用し、さらに、第２の偏光板２２の下側に位相差フィルムを設ける点である。
第１の実施形態と同様な構成には、同様な番号を使用している。以下に図１５を用いて第８の実施形態を説明する。
【０１３３】
はじめに、第１の液晶表示パネルの構成は、風防ガラス側（観察者の視認側）より、第１の基板１１と第１の電極１２と、第１の基板１１に所定の間隙を設けて対向する第２の基板１３と第２の基板１３上に設ける第２の電極１４を有し、第１の基板１１と第２の基板１３との間隙には、第１の液晶層１５を封入する。第１の電極１２と第２の電極１４との重なり合う部分が表示画素となる。
この第８の実施形態においては、表示画素は、複数の分割しているいわゆるセグメント型の電極形状を使用する。
【０１３４】
第１の基板１１上には、視認側より、吸収型偏光板からなる第１の偏光板２１有する。また、第２の基板１２上には、反射型偏光板からなる第２の偏光板２１を設ける。
第１の偏光板２１と第２の偏光板２２の透過軸を平行に配置し、液晶表示パネルとの組み合わせにより、液晶層１５の電圧が小さい場合に、強い反射特性を示し、大きな印加電圧の場合に、透過特性を示す。第２の偏光板２２は、第２の基板１３上に粘着材（図示せず）により接着する構造とする。以上により、第１の液晶表示パネルを構成する。第１の液晶表示パネルは、シャッターとして利用するため、多くのセグメント電極の場合には、セグメント電極間の常時シャッター閉の領域が多くなるため、セグメント電極数の少ない場合には、ツイストネマティック（ＴＮ）液晶を利用することが有効である。
【０１３５】
つぎに、第２の液晶表示パネルの構成は、風防ガラス側（観察者の視認側）より、第３の基板１６と第３の電極１７と、第３の基板１６に所定の間隙を設けて対向する第４の基板１８と第４の基板１８上に設ける第４の電極１９を有し、第３の電極１７と第４の電極１９との重なり合う部分が表示画素となる。
表示画素は、多くの電極に分割しているセグメント型の電極形状を利用する。
【０１３６】
第３の基板１６と第４の基板１８の間には、第２の液晶層２０を有し、第２の液晶層２０は、シール材３３と封口材（図示せず）により封入されている。
また第３の基板１６と第４の基板１８上とには、第２の液晶層２０を所定の方向に揃えるために、配向膜（図示せず）を設ける。たとえば、第２の液晶層２０に、スーパーツイストネマティック（ＳＴＮ）液晶層を利用する。ツイスト角を２１０から２６０度としている。
【０１３７】
第３の基板１６上には、偏光板は設けず、第２の偏光板２２により代用する。また、第４の基板１８上には、第３の偏光板２３として、粘着層（図示せず）により接着する吸収型偏光板を設ける。
【０１３８】
また、第２の偏光板２２と第３の基板１６との間に、第２の液晶層２０の複屈折色を消色するために、位相差フィルム５９を設ける。位相差フィルム５９は、フィルム単体では薄いため、第２の偏光板２２に接着して使用することが望ましい。
また、位相差フィルム５９と第３の基板１６とに間隙５６を設けることによって、第２の偏光板２２と第３の基板１６の密着による干渉縞の発生の防止ができる。
【０１３９】
また、第２の液晶層２０の配向方向と第３の偏光板２３の透過軸の方向は、第２の偏光板２２の方向に依存する。この実施形態においては、スーパーツイストネマティック液晶のツイスト角を２１０度とする。第２の液晶層２０のギャップ（ｄ）と常光（ｎｏ）と異常光（ｎｅ）の屈折率差（Δｎ）の積（Δｎｄ）は、８４５ナノメートル（ｎｍ）とする。角度は、基板平面上で、３：００の方向をゼロ度として、半時計方向をプラス（＋）、時計方向をマイナス（−）角度とする。
第３の基板１６上の配向方向は、−１１２．５度、第４の基板１８上の配向方向は、＋９７．５度とする。第２の基板１３上に設ける第２の偏光板２２の反射軸の方向は、＋４５度であり、第２の偏光板２２と第３の基板１６の間に設ける位相差フィルム５９の角度は、＋９０度である。位相差フィルム５９の位相差値は、５７５ナノメートル（ｎｍ）である。第４の基板１８上に設ける第３の偏光板２３は、＋９０度に配置する。
【０１４０】
以上の配置とすることにより、第２の液晶表示パネルは、ノーマリー透明の表示が可能となり、分割数の大きいセグメント電極の表示が可能となる。
また、視野角の良好な表示が可能となる。
【０１４１】
とくに第２の液晶表示パネルの透過特性の重視と、透過特性の温度依存性の改善と、視野角依存性の改善とセグメント電極の分割数の増加のためには、ＳＴＮ液晶を利用することが良く、さらに特性を向上する場合には、各画素部にスイッチング素子を有するアクティブマトリクス型の液晶表示パネルを利用する。
スイッチング素子としては、二端子型と三端子型とがある。
【０１４２】
＜第９の実施形態：図１６＞
つぎに、本発明の第９の実施形態について図１６を参照しながら説明する。図１６は、
図１のＢ−Ｂ線における別の実施形態を示す断面模式図である。
第９の実施形態の特徴は、第１の液晶表示パネルに用いるセグメント電極間の常時シャッター閉の領域を防止するための構造を採用する点である。
第１の実施形態と同様な構成には、同様な番号を使用している。以下に図１６を用いて第９の実施形態を説明する。
【０１４３】
はじめに、第１の液晶表示パネルの構成は、風防ガラス側（観察者の視認側）より、第１の基板１１と第１の基板１１上に設ける第５の電極２８と第５の電極２８上に設ける絶縁性を有する保護層２９と、前記保護層２９上に設ける第１の電極１２とを設ける。
この実施形態においては、第５の電極２８は、第１の電極１２の全面と重なるように設けてある。
【０１４４】
また第１の基板１１に所定の間隙を設けて対向する第２の基板１３上には、第１の基板１１と同じように、第２の基板１３上に設ける第６の電極３４と保護層２９と保護層２９上に設ける第２の電極１４を有し、第１の基板１１と第２の基板１３との間隙には、第１の液晶層１５を封入する。第１の電極１２と第２の電極１４との重なり合う部分が表示画素となる。
この第９の実施形態においては、表示画素は、複数の分割しているいわゆるセグメント型の電極形状を使用する。
【０１４５】
第１の基板１１上には、視認側より、吸収型偏光板からなる第１の偏光板２１と、第２の基板１２上には、反射型偏光板からなる第２の偏光板２１を設ける。第１の偏光板２１と第２の偏光板２２の透過軸を平行に配置し、液晶表示パネルとの組み合わせにより、第１の液晶層１５に印加する電圧が小さい場合には、強い反射特性を示し、大きい場合には、透過特性を示す。第２の偏光板２２は、第２の基板１３上に粘着材（図示せず）により接着する構造とする。
以上により、第１の液晶表示パネルを構成する。
【０１４６】
第１の液晶表示パネルを構成する第１の電極１２と第２の電極１４とに電圧を印加し、第１の液晶層の透過状態と反射状態とを制御する場合には、セグメント電極間には、電圧を印加することが難しいため常時反射（シャッター閉）状態、または常時透過（シャッター開）状態が発生する。
しかし、この実施形態に示すように、第１の電極１２と第１の基板１１との間に、第５の電極２８を設け、同様に、第２の電極１４と第２の基板１３との間に第６の電極３４を設け、第５の電極２８と第６の電極３４との間に電圧を印加することにより、全面的にシャッターの開閉を行うことが可能となる。
【０１４７】
本実施形態においては、第５の電極２８と第６の電極３４とを第１の液晶表示パネルのシャッター表示部の全面に分割することなく設ける例を示したが、第１の電極１２と第５の電極２８とを相互に補完する部分に配置するセグメント電極構造とし、同様に、第２の電極１４と第６の電極３４とを相互に補完する部分に配置するセグメント電極構造とすることにより、複数の部分のセグメント電極間の常時固定するシャッター表示の線を防止することが可能となる。
【０１４８】
また、保護膜２９を第１の電極１２と第２の電極１４の部分と重なる部分を残し、その他の部分を除去する構成とすることにより、第５の電極２８と第６の電極３４に有効的に電圧を印加することが可能となり、時計のように、消費電力をできるだけ小さくする必要がある場合には、とくに有効な構成となる。
【０１４９】
つぎに、第２の液晶表示パネルの構成は、風防ガラス側（観察者の視認側）より、第３の基板１６と第３の電極１７と、第３の基板１６に所定の間隙を設けて対向する第４の基板１８と第４の基板１８上に設ける第４の電極１９を有し、第３の電極１７と第４の電極１９との重なり合う部分が表示画素となる。
表示画素は、複数の電極に分割しているセグメント型の電極形状を利用する。
【０１５０】
第３の基板１６と第４の基板１８の間には、第２の液晶層２０を有し、第２の液晶層２０は、シール材３３と封口材（図示せず）により封入されている。
また第３の基板１６と第４の基板１８上とには、第２の液晶層２０を所定の方向に揃えるために、配向膜（図示せず）を設ける。たとえば、第２の液晶層２０に、ツイストネマティック液晶を利用する場合には、第３の基板１６側では７：３０の方向に、第４の基板１３側では４：３０の方向に第２の液晶層２０は配向し、ツイスト角を９０度としている。
すなわち、第１の液晶層１５と第２の液晶層２０の配向方向は、同一であり、優先視野方向も同一である。
【０１５１】
第３の基板１６上には、偏光板は設けず、第２の偏光板２２により代用する。また、第４の基板１８上には、第３の偏光板２３として、粘着層（図示せず）により接着する反射型偏光板を設ける。
【０１５２】
また、第２の偏光板２２と第３の基板１６との間に、球状のスペーサー４５を設けることにより、第２の偏光板２２と第３の基板１６の密着による干渉縞の発生の防止ができる。さらに、第２の偏光板２２と第３の偏光板２３とを反射型偏光板とすることにより、第２の液晶表示パネルは大きな反射特性を有するため、第１の液晶表示パネルの反射特性を強化することが可能となる。
【０１５３】
以上に示す第１の液晶表示パネルを採用することにより、前面開閉可能なシャッターとセグメント表示が可能となり、下層に配置する液晶表示パネルの表示への影響がなく、多層液晶表示として、非常に有効となる。
【０１５４】
【発明の効果】
以上の説明から明らかなように、複数の液晶表示パネルを重ねる構造を採用することにより、上側の液晶表示パネルにより下側の液晶表示パネルの表示内容を遮蔽（シャッター）、または上側の液晶表示パネルと下側の液晶表示パネルの表示を同期することより、多彩な表示が可能となる。
【０１５５】
また、複数の液晶表示パネルに利用する偏光板に一方の偏光軸は、透過軸であり、ほぼ直交する偏光軸は反射軸を有する反射型偏光板を利用することにより、従来の半透過反射板を利用する場合に比較し、透過率を大きくすることと、反射率を大きくすることが可能となり、さらに、鏡面（ミラー）調の反射表示を可能とする。
さらに、複数の液晶表示パネルの間に反射型偏光板を利用することにより、反射型偏光板の上層の液晶表示パネルの表示の際には、反射表示と透過表示を可能とする。また、前記反射表示の際には、下層の表示を大きな透過性を確保した状態で達成できる。
【０１５６】
また、時計ケースと同色のミラー調の表示とすることにより、時計ケースと液晶表示パネルの表示が一体的になり、液晶表示パネルの従来の印象を替え、液晶表示パネルによるシャッター性が向上する。さらに、第２の液晶表示パネルの色調も単独に決定できるため、デザイン性に優れる時計が可能となる。
【０１５７】
また、第１の液晶表示パネルと第２の液晶表示パネルを重ね合わせる構造の場合に、第１の液晶表示パネルを全面反射と透過を可変する電極構造とすることにより、第１の液晶表示パネルが透過状態の際に、下側の液晶表示パネルの表示を鮮明に再現できる。
【０１５８】
また、第１の液晶表示パネルと第２の液晶表示パネルを重ね合わせる構造の場合に、第１の液晶表示パネルにセグメント電極構造、またはマトリクス電極構造を採用する場合には、セグメント電極間、またはマトリクス電極間には所定の間隙を設けるため、全面を透過状態とすることができない。
そのため、下側の液晶表示パネルの表示に使用するフォントサイズが、第１の液晶表示パネルのセグメント電極の部分（表示画素）より小さい場合には、第１の液晶表示パネルのセグメント電極の部分に配置し、第１の液晶表示パネルの非透過部による遮蔽を防止し、視認性を向上する。
【０１５９】
また、第１の液晶表示パネルの表示を反射と透過とする場合には、第２の液晶表示パネル
の表示を透過と吸収、または透過と反射、または透過と散乱により表示を行う。
とくに、透過状態においても、散乱性を持たせることにより、コントラルト比の向上が可能となる。
【０１６０】
また、第１の液晶表示パネルと偏光板により、大きな反射状態の時には、第２の液晶表示パネルの表示を行わず、全面均一な表示とすることにより、第１の液晶表示パネルの反射状態から下層の状態が透けて見える場合においても、均一な表示が可能となる。
また、光源を点灯とする場合には、少なくとも、第１の液晶表示パネルの一部を点灯状態とすることにより、第１の液晶表示パネルと偏光板による光の漏れによる表示の不均一性を救済できる。
【０１６１】
さらに、第２の液晶表示パネルの下側に設ける偏光板に散乱性を設けることによって、第１の液晶表示パネルの表示と第２の液晶表示パネルの表示のコントラルト比を大きくできると同時に、外部光源を利用して第２の液晶表示パネルの表示を行う場合には、第１の液晶表示パネルの透過率の大きい部分からの光を利用して表示を行うため、偏光板を反射板として利用する方法、または偏光板の下側に反射板を設けることにより、明るい表示が可能となる。
とくに、反射型偏光板を利用し、反射型偏光板と第２の液晶表示パネルの下側の基板との間に、拡散性を有する層を設けることは有効である。
【０１６２】
さらに、第２の液晶表示パネルの偏光板と光源との間に入射光により励起し、特定の波長の光の反射と発光を行う蛍光インキ層を設けることにより、とくに反射板を利用しなくともコントラスト比のある表示が可能となる。
蛍光インキ層の色は、偏光板によりエネルギーの高い領域の光は吸収、または反射されるため、波長の長い可視光を示す蛍光インキを利用することにより、明るい表示が可能となる。
【０１６３】
また、第１の液晶表示パネルが全面に反射率が大きい状況の場合に、時計が正常に動作しているか、否かを認識することが難しいため、第１の液晶表示パネルの一部を動作しておく、あるいは第１の液晶表示パネルの一部を透過状態しておき、第２の液晶表示パネルの表示を認識できる状態としておく、または第１の液晶表示パネルより、第２の液晶表示パネルを大きくしておき、第１の液晶表示パネルの表示に依存することなく第２の液晶表示パネルの表示を認識可能とする。
あるいは、第１の液晶表示パネルの下側に設ける液晶表示パネルを複数分割して、第１の液晶表示パネルの表示により遮蔽と認識を行う部分と、第１の液晶表示パネルの表示に依存することなく、第３の液晶表示パネルの表示を認識可能とする。以上により、第１の液晶表示パネルの表示状態が下側の液晶表示パネルの表示を遮蔽するシャッターとして機能しても、時計の動作を確認することができる。
【０１６４】
さらに、第１の液晶表示パネルが大きい反射（シャッター閉）状態の場合に、第２の液晶表示パネルの表示を均一な状態とすることにより、第１の液晶表示パネルが透けて第２の液晶表示パネルが見えててしまう場合においても、均一な表示となり、コントラスト比が良好に認識できる。
さらに、第２の液晶表示パネルを均一な表示とする場合に、印加電圧を小さくする。または印加電圧を切ることにより、時計に重要な消費電力の低減が可能となる。すなわち、従来の液晶表示パネルを１組のみ利用する場合に比較し、複数組利用する場合には、消費電力が増加するため、表示電力を低減する方法はとくに有効である。
【０１６５】
また第１の液晶層には、ツイストネマティック液晶を利用し、第２の液晶層には、ツイストネマティック液晶、またはスーパーツイストネマティック液晶を利用する場合に関して
実施形態を示したが、時計のコスト、及び第１の液晶層の機能、及び基板の厚みを考える場合には、第１の液晶層は、ツイストネマティック液晶が最適であが、とくにツイストネマティック液晶に限定するものではない。
また、第２の液晶層では、セグメント電極の分割数と視野角によりツイストネマティック液晶、またはスーパーツイストネマティック液晶が最適であるが、とくに限定するものではない。
【図面の簡単な説明】
【図１】本発明の第１の実施形態における時計の平面模式図である。
【図２】本発明の第１の実施形態における時計のシャッター閉の状況を示す平面模式図である。
【図３】本発明の第１の実施形態における時計のシャッターの一部開の状況を示す平面模式図である。
【図４】本発明の第１の実施形態における時計の断面模式図である。
【図５】本発明の第１の実施形態における時計のシステムブロック図である。
【図６】本発明の第２の実施形態における時計の断面模式図である。
【図７】本発明の第３の実施形態における時計のシャッター開の状況を示す平面模式図である。
【図８】本発明の第３の実施形態における時計のキャラクター表示部のみシャッター開の状況を示す平面模式図である。
【図９】本発明の第３の実施形態における時計の断面模式図である。
【図１０】本発明の第３の実施形態における時計のシステムブロック図である。
【図１１】本発明の第４の実施形態における時計の断面模式図である。
【図１２】本発明の第５の実施形態における時計の断面模式図である。
【図１３】本発明の第６の実施形態における時計の断面模式図である。
【図１４】本発明の第７の実施形態における時計の断面模式図である。
【図１５】本発明の第８の実施形態における時計の断面模式図である。
【図１６】本発明の第９の実施形態における時計の断面模式図である。
【図１７】従来技術における時計の平面模式図である。
【図１８】従来技術における時計の断面模式図である。
【符号の説明】
１ 時計ケース
２ 風防ガラス
３ 裏蓋
５ 回路基板
６ 電池
７ 光源
８ パネル押え
９ 回路押え
１１ 第１の基板
１２ 第１の電極
１３ 第２の基板
１４ 第２の電極
１５ 第１の液晶層
１６ 第３の基板
１７ 第３の電極
１８ 第４の基板
１９ 第４の電極
２０ 第２の液晶層
２１ 第１の偏光板
２２ 第２の偏光板
２３ 第３の偏光板
２５ 半透過反射板
２６ 第４の偏光板
２７ 接続電極
２８ 第５の電極
２９ 保護膜
３０ シャッター表示部
３１ 見切り板
３２ ゼブラゴム
３３ シール材
３４ 第６の電極
３５ スペーサー
３６ 第１のゼブラゴム
３７ 第２のゼブラゴム
３８ 電池押えバネ
３９ 光源用端子
４０ モジュールバネ
４１ 表示部
４６ 拡散層
５５ 印刷層
５８ カラーフィルター
５９ 位相差フィルム
【図１】
0004252124.tif 000002
【図２】
0004252124.tif 000003
【図３】
0004252124.tif 000004
【図４】
0004252124.tif 000005
【図５】
0004252124.tif 000006
【図６】
0004252124.tif 000007
【図７】
0004252124.tif 000008
【図８】
0004252124.tif 000009
【図９】
0004252124.tif 000010
【図１０】
0004252124.tif 000011
【図１１】
0004252124.tif 000012
【図１２】
0004252124.tif 000013
【図１３】
0004252124.tif 000014
【図１４】
0004252124.tif 000015
【図１５】
0004252124.tif 000016
【図１６】
0004252124.tif 000017
【図１７】
0004252124.tif 000018
【図１８】
0004252124.tif 000019